(57)【要約】【課題】操作ボタンを操作し易く、フレシキブル配線群による断線の恐れがない、電子機器を提供する。【解決手段】トレイ２と、トレイ２が引き出される様に、前面に開口部が設けられたケーシング４と、トレイ２の前面に設けられた操作ボタン２４ａ〜２４ｇと、トレイ２に固定された導光体２９と、ケーシング４に設けられた発光体３８および受光体３９とを備え、操作ボタン２４ａ〜２４ｇの操作位置に応じて、発光体３８からの光は導光体２９を介して、受光体３９へ各々、到達する又は到達しない様に構成された。【選択図】図４
2005346761.tif 000002
【特許請求の範囲】
【請求項１】
トレイと、前記トレイが引き出される様に、前面に開口部が設けられたケーシングと、前記トレイの前面に設けられた操作ボタンと、前記トレイに固定された導光体と、前記ケーシングに設けられた発光体および受光体とを備え、前記操作ボタンの操作位置に応じて、前記発光体からの光は前記導光体を介して、前記受光体へ各々、到達する又は到達しない様に構成された事を特徴とする電子機器。
【請求項２】
前記トレイは、トレイ本体と、操作パネルとで構成され、前記トレイ本体はディスクが載置され、前記操作パネルは前面に位置する様に、前記トイレ本体に固定され、前記導光体は前記操作パネルの内部に固定され、前記操作ボタンは前記操作パネルに設けられた事を特徴とする請求項１の電子機器。
【請求項３】
前記操作ボタンは操作部と、前記操作部につながる本体と、前記本体に隣接し、遮光性材質からなる突起部とにより構成され、前記操作パネルに形成された孔に対し、前記本体および前記突起部が挿入される事により、前記操作ボタンは、直線方向に移動可能に構成された事を特徴とする請求項２の電子機器。
【請求項４】
前記導光体は略逆Ｕ字状に形成され、前記操作パネルに固定される直線部は、隙間ができる様に２つに分割され、前記操作ボタンが操作されない場合に、前記突起部は前記隙間に位置しない事により、前記発光体からの光は前記導光体および前記隙間を介して、前記受光体に到達する事を特徴とする請求項３の電子機器。
【請求項５】
前記導光体は略逆Ｕ字状に形成され、前記操作パネルに固定される直線部は、隙間ができる様に２つに分割され、前記操作ボタンが操作された場合に、前記操作ボタンの本体は前記導光体の外部を移動し、前記操作ボタンの突起部は前記隙間に位置する事により、前記発光体からの光は前記突起部により遮断され、前記受光体に到達しない事を特徴とする請求項３の電子機器。
【発明の詳細な説明】
【技術分野】
【０００１】
本発明は電子機器に関する。
【背景技術】
【０００２】
従来、この種の装置は、例えば特許文献１に示されている。この特許文献１によると、トレイが引き出される様に、前面に開口部８が形成されたケーシング２が設けられている。そして開口部８を除いた操作部９において、複数の操作ボタン１５，９２が設けられている。
【特許文献１】特開２００４−２２３５８号公報
【発明の開示】
【発明が解決しようとする課題】
【０００３】
上記装置では、開口部８を除いた部分に、多数の操作ボタン１５，９２を２段に設けているため、これらの操作ボタンが狭い部分に密集するので、操作しにくい第１の欠点がある。この欠点を解消するために、本発明者は、トレイの前面に操作パネルを設け、この操作パネルに操作ボタンを設け、複数の操作ボタンの間隔を広げた。そして、各操作ボタンに各スイッチを取り付けた。ケーシングの内部に回路基板を固定し、回路基板上のコネクタと、各スイッチとの間に、フレキシブル配線群を設けていた。
【０００４】
しかし、上記構成において、トレイは引き出され、その後に収納される事が繰り返されるので、フレキシブル配線群は、屈曲による断線がし易い、第２の欠点がある。そこで、本発明はこの様な従来の欠点を考慮して、操作ボタンを操作し易く、フレキシブル配線群による断線の恐れがない、電子機器を提供する。
【課題を解決するための手段】
【０００５】
上記課題を解決するために、請求項１の本発明では、トレイと、トレイが引き出される様に、前面に開口部が設けられたケーシングと、トレイの前面に設けられた操作ボタンと、トレイに固定された導光体と、ケーシングに設けられた発光体および受光体とを備え、操作ボタンの操作位置に応じて、発光体からの光は導光体を介して、受光体へ各々、到達する又は到達しない様に構成された。
【０００６】
請求項２の本発明では、トレイは、トレイ本体と、操作パネルとで構成され、トレイ本体はディスクが載置され、操作パネルは前面に位置する様に、トイレ本体に固定され、導光体は操作パネルの内部に固定され、操作ボタンは操作パネルに設けられた。
請求項３の本発明では、操作ボタンは操作部と、操作部につながる本体と、本体に隣接し、遮光性材質からなる突起部とにより構成され、操作パネルに形成された孔に対して、本体および突起部が挿入される事により、操作ボタンは、直線方向に移動可能に構成された。
請求項４の本発明では、導光体は略逆Ｕ字状に形成され、操作パネルに固定される直線部は、隙間ができる様に２つに分割され、操作ボタンが操作されない場合に、突起部は隙間に位置しない事により、発光体からの光は導光体および隙間を介して、受光体に到達する。
請求項５の本発明では、導光体は略逆Ｕ字状に形成され、操作パネルに固定される直線部は、隙間ができる様に２つに分割され、操作ボタンが操作された場合に、操作ボタンの本体は導光体の外部を移動し、操作ボタンの突起部は隙間に位置する事により、記発光体からの光は突起部により遮断され、受光体に到達しない。
【発明の効果】
【０００７】
請求項１の構成の様に、トレイの前面にも操作ボタンを設けるので、各操作ボタンの配置間隔を広げることができ、従来の様に、狭い部分に密集する事を防止できる。その結果使用者は操作ボタンを操作し易くなる。また、ケーシングに発光体および受光体を設け、トレイに操作ボタンおよび導光体を設けるので、トレイを引き出した時に、従来の様に、フレキシブル配線群が不要となり、断線の恐れが無い。
【０００８】
請求項２の構成の様に、トレイ本体に固定された操作パネルに、操作ボタンおよび導光体を取り付ける。その結果、引き出し可能なトレイに固定された操作ボタンおよび導光体は移動しても、配線されていないので、フレキシブル配線群を用いる必要が無い。
【０００９】
請求項３の構成により、操作ボタンが直線方向に押されるか否かにより、確実にオン、オフ信号を出力できる。
【００１０】
請求項４の構成により、トレイが収納された時に、操作ボタンが操作されない場合は、受光体は発光体からの光を完全に感知する事ができる。
【００１１】
請求項５の構成により、トレイが収納された時、操作ボタンが操作された場合は、受光体は発光体からの光を完全に感知しない。また、操作ボタンが操作された場合に、操作ボタンの本体は、導光体の外部を移動するので、この時、導光体に外力が加わらない。
【発明を実施するための最良の形態】
【００１２】
以下に、図１ないし図５に従い、本発明を実施するための最良の形態に係る電子機器１の斜視図であり、トレイ２が収納された状態を示す。図２（ａ）は、電子機器１に用いられる操作ボタン２４ａ〜２４ｇの正面図、図２（ｂ）は図２（ａ）のＣ１−Ｃ２断面図である。図３は図１のＡ１−Ａ２断面図、図４は図１のＢ１−Ｂ２断面図である。図５は電子機器１の斜視図であり、トレイ２が引き出された状態を示す。
【００１３】
これらの図において、ケーシング４は例えばプラスチック又は金属板等からなる。ケーシング４は例えば底部５と、前部６，７と、上部８，９と、側部１０，１１と、背面部１２等により構成されている。
【００１４】
底部５は例えば、断面形状が略Ｕ字状に形成されている（図４参照）。前部６，７は、底部５に形成された上部開口を閉じる様に設けられている。ケーシング４の前面の適所には、開口部１３が形成されている。
【００１５】
上部８，９は底部５の上方を覆う様に設けられている。側部１０，１１は上部８，９の側面を覆う様に設けられている。背面部１２は上部８，９の背面を覆う様に設けられている。
【００１６】
表示部１４は例えば、液晶表示装置等からなり、必要に応じて、立てる事ができる様に構成されている。ボタン１５は、前部６に設けられ、ボタン１６は前部７に設けられている。
【００１７】
トレイ本体１７は例えばプラスチックからなり、周囲に肉厚部１８が形成され、中心にディスク固定部１９が形成されている。例えば、ＤＶＤ−ＲＯＭ等からなるディスク２０は、トレイ本体１７上に載置され、ディスク固定部１９により固定される。
【００１８】
操作パネル２１は例えば金属板またはプラスチックからなり、断面形状は略逆Ｌ字状に形成されている（図５参照）。操作パネル２１の適所には、固定部２２が形成され、固定部２２はネジ２３により、トレイ本体１７に形成された肉厚部１８に固定されている。
【００１９】
この様に、トレイ２は、トレイ本体１７と操作パネル２１等により構成されている。トレイ本体１７はディスク２０が載置され、操作パネル２１は前面に位置する様に、トレイ本体１７に固定されている。
【００２０】
操作ボタン２４ａ，２４ｂ，２４ｃ，２４ｄ，２４ｅ，２４ｆ，２４ｇは、トレイ２を構成する操作パネル２１の前面に設けられている（図１参照）。
【００２１】
支持板２５は、トレイ本体１７を支持するものであり、右端に平歯車部（図示せず）が形成されている。この平歯車部は歯車（図示せず）と噛み合う様に構成され、この歯車はモータ（図示せず）の軸に固定されている。
【００２２】
後述する様に、使用者が操作ボタン２４ｃ（イジェクト用）を操作する（押す）と、電気信号がマイコン（図示せず）へ入力される。マイコンは上記モータに対し、駆動電圧を出力させ、モータは回転する。
【００２３】
その結果、支持板２５は前方（Ｄ１方向）へ移動し、トレイ２も前方へ移動する。この様に、トレイ２は引き出される様に、即ち、前方（Ｄ１方向）へ進む様に構成されている（図４参照）。
【００２４】
図２に示した様に、操作ボタン２４ａ〜２４ｇは各々が、例えば、操作部２６と、本体２７と、突起部２８などからなる。操作ボタン２４ａ〜２４ｇは例えば、プラスチックからなる
操作部２６は平面から見れば円形であり、側面から見れば、長円形状に形成される。本体２７は操作部２６につながって、操作部２６の下に形成され、略円柱状に形成されている。
【００２５】
突起部２８は本体２７に隣接し、本体２７につながって形成されている。突起部２８は略直方体状に形成されている。少なくとも、突起部２８は遮光性材質からなる。必要に応じて、操作ボタン２４ａ〜２４ｇ全体を、遮光性材質から構成しても良い。
【００２６】
この様にして、操作パネル２１に形成された略ひょうたん状の孔に対し、本体２７および突起部２８が挿入される。この挿入により、操作ボタン２４ａ〜２４ｇは、直線方向（Ｅ１−Ｅ２方向であり、図３と図４を参照）に移動可能に構成されている。
【００２７】
図３に示す様に、導光体２９は例えばアクリル樹脂からなり、略逆Ｕ字状に形成されている。操作パネル２１に固定された導光体２９の直線部は、隙間３０ができる様に、２つに分割されている。
【００２８】
即ち、導光体２９は左導光体３１と、右導光体３２とからなる。左導光体３１の直線部は例えば、接着材を介して、操作パネル２１の内面に固定されている。右導光体３２の直線部は例えば、接着材を介して、操作パネル２１の内面に固定されている。
【００２９】
この様に、導光体２９はトレイ２に固定されている。もっと詳細には、導光体２９は操作パネル２１の内部に固定され、操作ボタン２４ａ〜２４ｇは、操作パネル２１に設けられている。
【００３０】
操作ボタン２４ａ〜２４ｇを構成する操作部２６の底面と、操作パネル２１の上面との間には、バネ３３が配置されている。その結果、操作ボタン２４ａ〜２４ｇは常時、上方向（Ｅ１方向）の力が付与されている。
【００３１】
また、操作ボタン２４ａ〜２４ｇを構成する本体２７の適所には、Ｅリング３４が固定されている。これにより、操作ボタン２４ａ〜２４ｇは常時、Ｅ１方向へ力は付与されるが、Ｅリング３４の上面と、左導光体３１の底面および右導光体３２の底面とが当接する事により、そのポイントが上死点となる（図３参照）。この時、突起部２８の底面は、隙間３０より上方に位置する様に、構成されている。
【００３２】
図４に示す様に、ケーシング４の底部５の適所には、載置部３５，３６が形成されている。回路基板３７は載置部３５，３６上に載置され、ネジ（図示せず）等により固定されている。
【００３３】
図３に示す様に、発光体３８は例えば発光ダイオード等からなる。発光体３８は左導光体３１の下端の下方に位置する様に構成されている。
【００３４】
また、受光体３９は例えばホトダイオード等からなる。受光体３９は右導光体３２の下端の下方に位置する様に構成されている。
【００３５】
この様にケーシング４には、発光体３８および受光体３９が設けられている。そして、操作ボタン２４ａ〜２４ｇの操作位置に応じて、発光体３８からの光は導光体２９を介して、受光体３９へ各々、到達する又は到達しない様に、構成されている。
【００３６】
図１において、例えば、操作ボタン２４ａは再生の一時停止用のボタンである。操作ボタン２４ｂは再生停止用のボタンである。操作ボタン２４ｃはイジェクト用のボタンである。操作ボタン２４ｄは早送り用のボタンである。操作ボタン２４ｅは巻戻し用ボタンである。操作ボタン２４ｆは再生開始用のボタンである。操作ボタン２４ｇは電源オン、オフ用のボタンである。
【００３７】
次に、図１ないし図５に従い、この電子機器１の動作を説明する。最初に、使用者は操作ボタン２４ｇ（電源オン、オフ用）を押し、操作ボタン２４ｃ（イジェクト用）を押すと（図１参照）、トレイ２が引き出される（図５参照）。
【００３８】
その後に、使用者は、トレイ本体１７の上にディスク２０（ＤＶＤ−ＲＯＭ等）を載置し、トレイ２を押し込むと、元の状態になる（図１参照）。
【００３９】
この時、操作ボタン２４ｆ（再生開始用）は操作されていないので、操作ボタン２４ｆは上死点に位置している（図３参照）。その結果、操作ボタン２４ｆに設けられた突起部２８の下端は、隙間３０より上方に位置している。
【００４０】
その結果、発光体３８からの光は左導光体３１と、隙間３０を通り、右導光体３２を通り、受光体３９に到達する。その結果、受光体３９は回路基板３７上の導電部（図示せず）を介して、マイコンに対し、Ｈｉ信号を出力する。この時、マイコンは内蔵されたプログラムにより再生開始を行わない。
【００４１】
上記動作の特徴をまとめる。操作ボタン２４ｆが操作されない場合に（図３参照）、突起部２８は隙間３０に位置しない。その結果、発光体３０からの光は、導光体２９および隙間３０を介して、受光体３９に到達する。
【００４２】
次に、使用者は操作ボタン２４ｆ（再生開始用）を操作（押した）したものとする。この時、操作ボタン２４ｆに設けられた突起部２８の下端は下方（Ｅ２方向）へ移動し、隙間３０の下端の近傍又はそれより下方に位置する。
【００４３】
これにより、発光体３８からの光は、左導光体３１を通り、突起部２８により遮断される。それ故に、発光体３８からの光は受光体３９に到達しない。
【００４４】
その結果、受光体３９は、回路基板３７上の導電部（図示せず）を介して、マイコンに対し、Ｈｉ信号の出力を切替えて、Ｌｏ信号を出力する。この時、マイコンは内蔵されたプログラムにより、再生動作を開始させる。
【００４５】
例えば、マイコンは表示部１４に対し、ディスク２０に記録された映像データに従い、所定の映像を表示させる。また、マイコンは左右のスピーカ（図示せず）に対し、ディスク２０に記録された音声データに従い、所定の音声を出力させる。この様にして、再生動作が行われる。
【００４６】
また、上記操作ボタン２４ｆが押された時、操作ボタン２４ｆの本体２７は、導光体２９の外部を移動する（図４参照）。この時、操作ボタン２４ｆの突起部２８は、隙間３０の中を移動する。
【００４７】
上記動作の特徴をまとめる。操作ボタン２４ｆが操作された場合、操作ボタン２４ｆの本体２７は、導光体２９の外部を移動する。この時、操作ボタン２４ｆの突起部２８は隙間３０に位置する事により、発光体３８からの光は突起部２８により遮断され、受光体３９に到達しない。
【図面の簡単な説明】
【００４８】
【図１】本発明を実施するための最良の形態に係る電子機器１の斜視図であり、トレイ２が収納された状態を示す。
【図２】図２（ａ）は、電子機器１に用いられる操作ボタン２４ａ〜２４ｇの正面図であり、図２（ｂ）は、図２（ａ）のＣ１−Ｃ２断面図である。
【図３】図１のＡ１−Ａ２断面図である。
【図４】図１のＢ１−Ｂ２断面図である。
【図５】電子機器１の斜視図であり、トレイ２が引き出された状態を示す。
【符号の説明】
【００４９】
２  トレイ
４  ケーシング
２４ａ〜２４ｇ  操作ボタン
２９  導光体
３８  発光体
３９  受光体
【図１】
2005346761.tif 000003
【図２】
2005346761.tif 000004
【図３】
2005346761.tif 000005
【図４】
2005346761.tif 000006
【図５】
2005346761.tif 000007